(57)【要約】【課題】  本発明は、プラテンローラ及びプラテン白板による流し読みの構成で、原稿台ガラス上とプラテンローラ及びプラテン白板上の異物を判別し、白スジを発生させる異物と黒スジを発生させる異物の両方を検知できるようにすることを目的とするものである。【解決手段】  判定した白スジ、黒スジ検知の記憶されたデータにより、搬送原稿台ガラス２０２の清掃を促すメッセージを図示しない表示部に表示したり、白スジ、黒スジ検知しない位置に読取位置を移動させたり、さらには、白スジ、黒スジ検知のデータから画像を修正することができることを特徴とする画像処理装置。【選択図】        図１
2005176044.tif 000002
【特許請求の範囲】
【請求項１】
原稿台ガラスと、原稿台ガラス上に原稿を搬送する原稿処理装置と、原稿台ガラス上を搬送されている原稿の画像を読み取る画像読取手段と、白色部材と黒色部材とを備える画像読取装置において、
前記画像読取手段が搬送されている原稿を読み取る位置に前記白色部材と前記黒色部材を移動させる移動手段を設け、前記白色部材及び前記黒色部材を読み取った画像情報から異物を検知する検知手段を設けたことを特徴とする画像読取装置。
【請求項２】
画像読取手段は白色部材及び黒色部材を移動させながら白色部材及び黒色部材をそれぞれ読み取ることを特徴とする請求項１記載の画像読取装置。
【請求項３】
原稿を搬送している時に、白色部材と黒色部材の画像読取手段により読み取られる面が、搬送されている原稿と接触または対向しないように退避させて収納する収納手段を設けたことを特徴とする請求項１記載の画像読取装置。
【請求項４】
原稿処理装置の原稿搬送路を収納手段としたことを特徴とする請求項３記載の画像読取装置。
【請求項５】
移動手段は原稿搬送手段であることを特徴とする請求項１記載の画像読取装置。
【請求項６】
白色と黒色の中間の濃度の色を有する少なくとも一つの中間色部材を設け、画像読取手段が搬送されている原稿を読み取る位置に、移動手段が中間色部材を移動させることを特徴とする請求項１記載の画像読取装置。
【発明の詳細な説明】
【技術分野】
【０００１】
本発明は、搬送している原稿を読取るシートスルー方式の画像読取装置に関するものである。
【背景技術】
【０００２】
従来、画像読取装置の走査体を固定し、原稿を移動させて画像を読み取る画像読取装置において、原稿が通過する原稿台ガラス上にゴミや汚れが付着していると、読み取られた画像情報に副走査方向に連続してスジ状のデータが発生してしまうという問題があった。
【０００３】
この問題を解決する方法として、原稿を読み取る前に、ゴミや汚れが原稿台ガラスに付着しているか否かを一定の判定基準値を用いて検知する方法が開示されている（例えば、特許文献１参照）。
【０００４】
また、プラテンベルトを回転させて汚れを清掃するような方法が開示されている（例えば、特許文献２参照）。
【特許文献１】特開平１０−５６５４２号広報
【特許文献２】特開平０４−２４５３３６号公報
【発明の開示】
【発明が解決しようとする課題】
【０００５】
しかしながら上記特許文献１の技術では、原稿台ガラスとプラテン白板により原稿読取位置での原稿の搬送路を形成し、プラテン白板は副走査方向に移動しない構成で、ゴミ・汚れ検知を行なっているので、検知されたゴミ・汚れが原稿台ガラスに付着しているのかプラテン白板に付着しているのか判別することができなかった。
【０００６】
また上記特許文献１では、プラテン白板の色は単色なので、白色と黒色のゴミ・汚れのいずれか一方のみを検知することしかできなかった。
【０００７】
さらに上記特許文献１ではプラテン白板が、常に搬送されている原稿と接触または対向しているので、ゴミ・汚れの付着が多く発生してしまい、異物検知を行なうのに時間がかかる構成であった。
【０００８】
係る問題を解決する手段として上記特許文献２が開示されているが、上記特許文献２の技術では、すべてのゴミ・汚れを取り除くのは困難であった。
【０００９】
また、プラテンベルトやプラテンローラを回転させながら、プラテンベルトやローラを読み取ることで、プラテンベルトまたはローラ上に付着しているゴミか、原稿台ガラス上に付着しているゴミかを判別する方法もあるが、プラテンベルトまたはローラが白色の場合、黒色のゴミ・汚れは検知できるが、白色のゴミ・汚れは検知できないので、白色のゴミ・汚れによる白スジの発生を防止することができなかった。特に写真等の全域に画像があるようなカラー画像では、白スジによる画像劣化が問題になっていた。
【００１０】
本発明はこのような問題点に鑑みてなされたものであって、その目的とする処は、白スジを発生させる異物と黒スジを発生させる両方の異物を検知できる画像処理装置を提供することにある。
【００１１】
また、移動できないプラテン白板を備える装置でも、白色部材及び黒色部材に付着した異物と原稿台ガラスに付着した異物とを判別して検知できる画像処理装置を提供することにある。
【００１２】
さらに、白色部材と黒色部材の画像読取手段に読み取られる面が、搬送されている原稿により異物が付着しないようにすることができる画像処理装置を提供することにある。
【００１３】
またさらに、白色部材と黒色部材の退避スペースを新たに設けることなく、小型化することができる画像処理装置を提供することにある。
【００１４】
またさらに、白色部材と黒色部材を原稿搬送手段で移動させることで、新たに読取位置までの搬送路を設けることなく、確実に白色部材と黒色部材を読取位置まで移動させることができる画像処理装置を提供することにある。
【００１５】
またさらに、白色と黒色の中間濃度の異物も検知できる画像処理装置を提供することにある。
【課題を解決するための手段】
【００１６】
本発明は、下記の技術的構成により前記目的を達成できたものである。
【００１７】
（１）原稿台ガラスと、原稿台ガラス上に原稿を搬送する原稿処理装置と、原稿台ガラス上を搬送されている原稿の画像を読み取る画像読取手段と、白色部材と黒色部材とを備える画像読取装置において、前記画像読取手段が搬送されている原稿を読み取る位置に前記白色部材と前記黒色部材を移動させる移動手段を設け、前記白色部材及び前記黒色部材を読み取った画像情報から異物を検知する検知手段を設けたことを特徴とする画像読取装置。
【００１８】
（２）画像読取手段は白色部材及び黒色部材を移動させながら白色部材及び黒色部材をそれぞれ読み取ることを特徴とする前記（１）記載の画像読取装置。
【００１９】
（３）原稿を搬送している時に、白色部材と黒色部材の画像読取手段により読み取られる面が、搬送されている原稿と接触または対向しないように退避させて収納する収納手段を設けたことを特徴とする前記（１）記載の画像読取装置。
【００２０】
（４）原稿処理装置の原稿搬送路を収納手段としたことを特徴とする前記（３）記載の画像読取装置。
【００２１】
（５）移動手段は原稿搬送手段であることを特徴とする前記（１）記載の画像読取装置。
【００２２】
（６）白色と黒色の中間の濃度の色を有する少なくとも一つの中間色部材を設け、画像読取手段が搬送されている原稿を読み取る位置に、移動手段が中間色部材を移動させることを特徴とする前記（１）記載の画像読取装置。
【発明の効果】
【００２３】
以上説明したように、本発明によれば、移動できないプラテン白板を備える装置でも、原稿台ガラスのみに付着した白色、黒色、中間色と複数の濃度の異物を検知できるようにしたので、黒スジだけでなく、白スジ、中間色スジが発生する前に、清掃を促したり、異物の無い位置に読取位置を移動したり、画像を補正できるようになるので、読取画像の品質を大きく改善することができる。
【００２４】
また、白色部材及び黒色部材を搬送路に退避させ、白色部材と黒色部材を原稿搬送手段で移動させることで、装置の大型化を防ぐことができる。
【発明を実施するための最良の形態】
【００２５】
以下本発明の実施例について、図面を参照しながら説明する。
【実施例１】
【００２６】
図１は本発明を適用した画像読取装置の概略構成を示す断面図である。本実施例の装置は原稿処理装置１と画像読取装置２によって構成されている。
【００２７】
画像読取装置２は、固定原稿台ガラス２１１と搬送原稿台ガラス２０２を備えており、装置２内部には固定原稿台ガラス２１１および搬送原稿台ガラス２０２上の原稿を読み取る画像読取手段が備えられている。
【００２８】
画像読取装置２は、光源２０３と第１ミラー２０５が取り付けられた第１走査部２０１と、第２ミラー２０６および第３ミラー２０７が取り付けられた第２走査部２０４と、レンズ２０８と、画像読取手段であるＣＣＤ素子２０９とを備えている。
【００２９】
固定原稿台ガラス２１１または搬送原稿台ガラス２０２上の原稿３の画像は、光源２０３で照明され、第１ミラー２０５、第２ミラー２０６、第３ミラー２０７で光路を折り曲げられながらレンズ２０８でＣＣＤ素子２０９上に結像して、光電変換されることで読み取られる。
【００３０】
第１走査部２０１及び第２走査部２０４は、図示しない駆動手段により２対１の速度比で移動されるので、固定原稿台ガラス２１１及び搬送原稿台ガラス２０２上に載置された原稿３からＣＣＤ素子２０９までの物像間は一定に保たれる。
原稿処理装置１は、前記画像読取装置２で画像を読み取られる原稿３を搬送する装置である。
【００３１】
原稿トレイ１０１にセットされた原稿３を、ピックアップローラ１０２及び分離・給紙ローラ対１０３は、１枚ずつ分離して給送する。給送された原稿３は搬送ローラ対１０４，１０５，１０６により搬送された後、搬送原稿台ガラス２０２とプラテン白板１０７の間を通る。そして、原稿３はフラッパ１０８経て、搬送ローラ対１０９，１１０により装置外へ排出される。原稿３の画像は、搬送原稿台ガラス上のＢの位置を通過するときに読み取られる。
【００３２】
原稿処理装置１により搬送される原稿３を読み取る場合には、画像読取装置２がＢの位置を読み取るように、第１走査部２０１および第２走査部２０４を図１に示した位置に固定する。
【００３３】
また、固定原稿台ガラス２１１上に載置された原稿を読み取る場合には、第１走査部２０１および第２走査部２０４を移動走査することで、読み取る。
【００３４】
ＣＣＤ素子２０９で読み込まれた画像情報は、画像処理部２１０に伝送されて処理される。
【００３５】
次に本発明の特徴である白黒シート４について説明する。
【００３６】
図２は本発明を適用した画像読取装置の詳細な断面図である。図２ａは原稿３を搬送する時の状態で、回動可能に軸支されているフラッパ１０８は、その受け渡し部１０８ａが搬送原稿台ガラス２０２より退避して原稿３をすくい上げ、かつ突き当て部１０８ｂはガイド板１１３より突出して白黒シート４の端部に突き当たる位置で、バネ（図示せず）により固定されている。半月ローラ１１１は、その平坦部１１１ａが搬送路に対向してガイド板１１３より退避している。白黒シート４には黒色部４ａと白色部４ｂが設けられている。白黒シート４が静電気等により原稿３に吸着されて搬送されないように、白黒シート４の原稿搬送方向下流側にはストッパ１１２が設けられている。
【００３７】
ここで、長手方向（搬送ローラ対回転軸方向）の構成について説明する。図３は図２ａを矢印Ａ方向から見た図である。フラッパ１０８の突き当て部１０８ｂは搬送ローラ対１０９のフラッパ側ローラ１０９ａの長手方向を避けた位置に形成されている。ストッパ１１２は原稿３の搬送の妨げにはならないように、搬送される最大原稿幅より外側に配置されている。
【００３８】
白黒シート４の黒色部４ａ，４ｂを読み込むときには、フラッパ１０８に連結されているソレノイド（図示せず）を動作させて、図２ｂに示すように、フラッパ１０８をバネの付勢力に抗して、時計方向に回動させる。受け渡し部１０８ａは搬送原稿台ガラス２０２より突出し、突き当て部１０８ｂはガイド板１１３より退避する。搬送ローラ対１０９及び半月ローラ１１１は原稿搬送方向上流方向に白黒シート４を搬送するように回転し、白黒シート４はガイド板１１３に沿って搬送される。半月ローラ１１１は１回転して、停止する。白黒シート４の黒色部４ａ及び白色部４ｂは、読み取り位置Ｂまで順に搬送されて、白黒シート４を搬送しながら黒色部４ａ、白色部４ｂがそれぞれ読み込まれ、白スジ、黒スジ検知が行なわれる。
【００３９】
白スジ、黒スジ検知が終了すると、搬送ローラ対１０９及び半月ローラ１１１は原稿搬送方向下流方向に白黒シート４を搬送するように回転する。半月ローラ１１１により白黒シート４がストッパ１１２に突き当たるまで搬送され、その後フラッパ１０８が回動して図２ａに示す原稿３を搬送する時の状態で収納される。
【００４０】
図７は、白スジ、黒スジを検知する処理の手順を示すフローチャートである。
【００４１】
原稿３が原稿トレイ１０１に載置されて読取開始指示が与えられると（Ｓ１０１，Ｓ１０２）、原稿処理装置１により原稿３を１枚だけ搬送し、画像情報の読み取りを行なう（Ｓ１０３）。原稿が複数枚で、原稿トレイ１０１に原稿が残っている場合には、その原稿の読み取りを行なう。（Ｓ１０４）。全ての原稿の読み取りが終了すると、最後の原稿の搬送が終了した時点で、ソレノイドが動作してフラッパ１０８が回動する（Ｓ１０５）。そして白黒シート４を読取位置まで搬送して（Ｓ１０６）黒色部４ａを読み取る（Ｓ１０７）。読み取った画像情報をあらかじめ設定されている所定の白スジ判定レベルｘと画素毎に比較して、黒色部４ａの画像情報レベルに白スジ判定レベルｘより低い値が所定回数以上連続している画素があれば（Ｓ１０８）、ゴミや汚れ等の白異物が搬送原稿台ガラス２０２に付着していると判定して（白スジ検知）、その旨記憶する（Ｓ１０９）。白黒シート４の黒色部４ａ上に存在する白い異物は白黒シート４が搬送されているため、異物の大きさ以上には連続しないので、搬送原稿台ガラス２０２上に存在すると判定されない。ここで、所定回数は、判定すべき異物の大きさ、ＣＣＤ素子２０９の読取周波数、白黒シート４の搬送速度等によって設定される値である。同様にして、白黒シート４を搬送して（Ｓ１１０）白色部４ｂを読み取る（Ｓ１１１）。読み取った画像情報をあらかじめ設定されている所定の黒スジ判定レベルｙと画素毎に比較して、白色部４ｂの画像情報レベルに黒スジ判定レベルｙより低い値が所定回数以上連続している画素があれば（Ｓ１１２）、ゴミや汚れ等の黒異物が搬送原稿台ガラス２０２に付着していると判定して（黒スジ検知）、その旨記憶する（Ｓ１１３）。その後、ソレノイドの動作を停止して（Ｓ１１４）、白黒シート４を元に位置に収納する（Ｓ１１５）。
【００４２】
このようにして判定した白スジ、黒スジ検知の記憶されたデータにより、搬送原稿台ガラス２０２の清掃を促すメッセージを図示しない表示部に表示したり、白スジ、黒スジ検知しない位置に読取位置を移動させたり、さらには、白スジ、黒スジ検知のデータから画像を修正したりすることができる。
【実施例２】
【００４３】
図４は第２の実施例を説明する装置断面図である。
【００４４】
本実施例では、原稿３はフラッパ１０８の代わりにジャンプ台１１７を経て、搬送ローラ対１０９，１１０により装置外へ排出される。原稿３を搬送する時には、白黒シート４は収納部１１４に、搬送ローラ対１１５に挟持された状態で収納されている。このような構成で、搬送ローラ対１１５、１０６を回転させて白黒シート４を搬送原稿台ガラス２０２上の読取位置Ｂまで搬送して、第１の実施例と同様に白スジ、黒スジ検知を行なう。
【００４５】
本実施例は、原稿が搬送されない収納部に収納されるので、より異物の付着を低減することができる。
【実施例３】
【００４６】
第１，２の実施例の構成であるプラテン白板１０７の代わりに、図５に示すようにプラテンローラ１１６を設けた構成でも、同様の効果が得られる。
【実施例４】
【００４７】
白黒シート４は白色と黒色だけでなく、図６に示すように、白と黒の中間濃度を段階的に設けることで、白と黒の中間レベルの異物も検知できる。もちろん白と黒の中間濃度を連続的に設けてもその効果は同等である。
【図面の簡単な説明】
【００４８】
【図１】第１の実施例における画像読取装置の概略構成を示す断面図
【図２ａ】第１の実施例を詳細に説明する図
【図２ｂ】第１の実施例を詳細に説明する図
【図３】第１の実施例における長手方向の構成を説明する図
【図４】第２の実施例を説明する図
【図５】第３の実施例を説明する図
【図６】第４の実施例における白黒シートの構成を説明する図
【図７】白スジ、黒スジを検知する処理の手順を示すフローチャート
【符号の説明】
【００４９】
２０２  搬送原稿台ガラス
１      原稿処理装置
２０９  ＣＣＤ素子
４      白色黒色シート
Ｂ      読取位置
１０６  搬送ローラ対
１０９  搬送ローラ対
２１０  画像処理部
１１３  ガイド板
１１４  収納部
【図１】
2005176044.tif 000003
【図２ａ】
2005176044.tif 000004
【図２ｂ】
2005176044.tif 000005
【図３】
2005176044.tif 000006
【図４】
2005176044.tif 000007
【図５】
2005176044.tif 000008
【図７】
2005176044.tif 000009
【図６】
2005176044.tif 000010